(57)【特許請求の範囲】
【請求項１】
トラッキング検出手段と、コンセント出力を停止する遮断手段と、遮断した電路を復帰操作する操作レバーとを備え、トラッキングが発生したら前記遮断手段が電路を開閉する開閉接点を開動作させてコンセント出力を停止するコンセント装置において、
トラッキングの発生を報知するトラッキング報知手段と、当該トラッキング報知手段の報知動作を停止させる専用の停止スイッチとを有し、
前記トラッキング報知手段の電源を前記開閉接点より電源側の電路からとると共に、前記トラッキング検出手段及び前記遮断手段の電源を前記開閉接点より負荷側の電路からとり、
前記トラッキング検出手段の出力をフォトカプラを介して前記トラッキング報知手段に入力し、
前記トラッキング検出手段がトラッキングを検出したら前記遮断手段が遮断動作すると共に、前記トラッキング報知手段が報知動作し、復帰操作が成されてコンセント出力が復活しても、前記停止スイッチが操作されるまで前記トラッキング報知手段は報知動作を継続することを特徴とするコンセント装置。
【請求項２】
トラッキング発生により遮断した電路の復帰操作は、リセット操作を介さず直接操作レバーを操作することで成される請求項１記載のコンセント装置。
【発明の詳細な説明】
【技術分野】
【０００１】
本発明は、電気機器にプラグを介して電源を供給するコンセント装置に関し、特にトラッキングが発生したら出力を停止する遮断機能を備えたコンセント装置に関する。
【背景技術】
【０００２】
従来のトラッキング対応型のコンセント装置としては、例えば特許文献１の技術がある。これは、コンセントにトラッキングを検出するセンサ及びトラッキング検出回路、そして電路を遮断する遮断装置を設け、トラッキングを検出したら電路を遮断してコンセント出力を停止するよう構成されている。
【特許文献１】特開２００４−３４９０８１号公報
【発明の開示】
【発明が解決しようとする課題】
【０００３】
上述する従来のコンセント装置の場合、外観上の変化としては、トラッキング発生により遮断動作したことをＬＥＤの点灯で表示するよう構成されている。この表示はリセットボタンの操作でリセットされ、リセットすることで復帰操作が可能となり、復帰操作する操作レバーをオン操作することで電路は復帰して通電が再開される。
このように、従来のトラッキング対応のコンセント装置は、リセットボタンを操作しないと復帰操作できないし、逆に復帰させた場合遮断動作した原因が分からなくなってしま虞があるため、使用者が遮断動作後の処置を充分理解していないと、復帰操作をスムーズに行うことができなかったり、復帰させた際に遮断原因が分からずトラッキングに対処する事無く使用を続ける場合があった。
【０００４】
そこで、本発明はこのような問題点に鑑み、トラッキング発生により遮断動作した場合の復帰操作を簡易にすると共に、遮断動作した原因がトラッキングであることを使用者が認識し易くすることを目的とする。
【課題を解決するための手段】
【０００５】
上記課題を解決する為に、請求項１に記載の発明は、トラッキング検出手段と、コンセント出力を停止する遮断手段と、遮断した電路を復帰操作する操作レバーとを備え、トラッキングが発生したら前記遮断手段が電路を開閉する開閉接点を開動作させてコンセント出力を停止するコンセント装置において、トラッキングの発生を報知するトラッキング報知手段と、当該トラッキング報知手段の報知動作を停止させる専用の停止スイッチとを有し、前記トラッキング報知手段の電源を前記開閉接点より電源側の電路からとると共に、前記トラッキング検出手段及び前記遮断手段の電源を前記開閉接点より負荷側の電路からとり、前記トラッキング検出手段の出力をフォトカプラを介して前記トラッキング報知手段に入力し、前記トラッキング検出手段がトラッキングを検出したら前記遮断手段が遮断動作すると共に、前記トラッキング報知手段が報知動作し、復帰操作が成されてコンセント出力が復活しても、前記停止スイッチが操作されるまで前記トラッキング報知手段は報知動作を継続することを特徴とする。
この構成により、トラッキング発生による遮断動作後、電路を復帰させてもトラッキング発生の報知動作は継続するので、遮断動作した原因を確実に使用者に認識させることができる。
また、トラッキング発生の報知動作は、専用のスイッチを操作しなければオフにできないので、電路の復帰操作をしただけでは報知動作が停止するようなことがなく、遮断動作した原因を確実に使用者に認識させることができる。
【０００６】
請求項２の発明は、請求項１に記載の発明において、トラッキング発生により遮断した電路の復帰操作は、リセット操作を介さず直接操作レバーを操作することで成されることを特徴とする。
この構成により、リセット操作をすることなく電路を復帰させることができ、使用者が不慣れであっても容易に復帰操作できる。
【発明の効果】
【０００８】
本発明によれば、トラッキング発生による遮断動作後、電路を復帰させてもトラッキング発生の報知は継続するので、遮断動作した原因を確実に使用者に認識させることができるし、この復帰操作は、リセット操作等することなく復帰させることができるので、使用者が不慣れであっても容易に復帰操作できる。
【発明を実施するための最良の形態】
【０００９】
以下、本発明を具体化した実施の形態を、図面に基づいて詳細に説明する。図１は本発明に係るコンセント装置の一例を示す回路図であり、１は漏電検出回路、２はトラッキング遮断回路であり、漏電とトラッキングの何れかを検出したら電路を遮断してコンセント出力を停止するコンセント装置を示している。図において、３は電源、４は電路、５は電力を出力するコンセントの受歯、６は遮断手段としての引き外しコイル、７はトラッキング検出手段としてのセンサ、８は漏電を検出する変流器、９は開閉接点である。
【００１０】
漏電検出回路１は、ＩＣ化された電流判定回路１０を有し、変流器８で検出した零相電流値が所定値を越えたら、電流判定回路１０が漏電発生と判断して遮断信号を出力し、第１サイリスタＳ１をオンさせる。すると、引き外しコイル６に電流が流れて引き外し動作し、開閉接点９が開動作して電路４が遮断される。
【００１１】
トラッキング遮断回路２は以下のように動作する。センサ７がトラッキングの初期状態である受歯間の放電を検知すると、第１ダイオードＤ１を介して第１フォトカプラＰ１のダイオードに微小な電流が流れ、第１フォトカプラＰ１のトランジスタがオンする。尚、センサ７は金属片で構成され、受歯５間で放電が発生するとセンサ７を通してダイオードＤ１に電流が流れることでトラッキングの初期状態を検出する。
【００１２】
第１フォトカプラＰ１のオンにより、第２フォトカプラＰ２に電流が流れて第２フォトカプラＰ２がオンする。同時に、第１トランジスタＴ１がオンし、第２ダイオードＤ２を介して第１サイリスタＳ１がオンし、引き外しコイル６が通電されて遮断動作する。
また、第２フォトカプラＰ２のオンにより、第２トランジスタＴ２がオンして第２サイリスタＳ２がオンする。その結果、トラッキング報知手段としてのＬＥＤ（発光ダイオード）１１が点灯する。
一方で、引き外しコイル６を動作させた第１サイリスタＳ１は、電路４が遮断されることで電源の供給が停止されるのでリセットされる。
【００１３】
このように、遮断動作により、引き外しコイル６を駆動した第１サイリスタＳ１はリセットされるので、開動作した開閉接点９を閉操作すればすぐに電路は復帰する。一方、第２サイリスタＳ２は、報知停止スイッチ１２でリセットされない限りオン状態を継続し、発光ダイオード１１は点灯し続ける。
【００１４】
図２は、上記回路構成のコンセント装置の外観を示し、（ａ）は正面図、（ｂ）は一部を断面で示した側面図であり、壁面埋込型のコンセント装置を示している。図２において、１４は遮断した電路を復帰させるための操作レバー、１５は漏電遮断動作をテストするテストスイッチ、１６はコンセント差込口であり、１１は上述するトラッキング発生を報知するトラッキング報知手段としてのＬＥＤ、１２はＬＥＤ１１の点灯をリセットする報知停止スイッチである。これらは設置後に壁面から露出するコンセントケース１７の前面に設けられている。
【００１５】
漏電の発生、或いはトラッキングの発生により引き外しコイル６が動作して遮断した電路４は操作レバー１４を回動操作、即ちオン操作することで開閉接点９は接続操作されて電路４は復帰する。図２（ｂ）に示す矢印の動作が遮断動作であり、引き外しコイル６が動作することで操作レバー１４は前方に回動して破線で示す角度で突出する。この突出した操作レバー１４を前面に面一になるように回動操作することで、コンセント受歯５は通電され、コンセント出力は復活する。
【００１６】
このように、トラッキングによる遮断動作しても、リセット操作をすることなく操作レバーを操作すれば電路を復帰させることができるので、使用者が不慣れであっても容易に復帰操作できる。
また、復帰させてもトラッキング発生の報知は継続するし、専用の報知停止スイッチを操作しなければオフにできないので、電路の復帰操作をして報知動作が消えるようなことがなく、遮断動作した原因を確実に使用者に認識させることができる。
【００１７】
尚、上記実施形態は、コンセント受歯が２連に構成されたコンセント装置を示したが、１個であっても良いし、３個以上であっても良く、センサの数を増減して容易に対応できる。また、トラッキングの発生を受歯間の放電を検出して検知しているが、電路の電流波形の変化から検知しても良い。
また、壁面埋込型のコンセント装置を示しているが、タップコンセント型のコンセント装置に対しても上記構成を容易に適用することができるし、トラッキング発生をＬＥＤで表示しているが、ブザーにより報知させても良い。
【図面の簡単な説明】
【００１８】
【図１】本発明に係るコンセント装置の実施形態の一例を示す回路図である。
【図２】図１の回路を内蔵したコンセント装置の外観を示し、（ａ）は正面図、（ｂ）は一部断面で示した側面図である。
【符号の説明】
【００１９】
２・・トラッキング遮断回路、４・・電路、６・・引き外しコイル（遮断手段）、７・・センサ（トラッキング検出手段）、１１・・ＬＥＤ（トラッキング報知手段）、１２・・報知停止スイッチ、１４・・操作レバー。
【図１】
0004663418.tif 000002
【図２】
0004663418.tif 000003